(57)【要約】【課題】床板の係止段部に対しヘアピンクリップの後端部を簡単かつ確実に係止することができるヘアピンクリップ着脱工具を提供すること。【解決手段】床板に対するヘアピンクリップの着脱の際に作業者が掴んで作業する長尺部材１１と、長尺部材１１の先端部に設けられ、ヘアピンクリップの後端部を床板の係止段部に係止させる際にヘアピンクリップの後端部に爪部１２１が係止してヘアピンクリップの後端部を引上げる固定式クリップ引上げフック１２と、その固定式クリップ引上げフック１２の爪部１２１よりも所定間隔だけ上方へ離れた位置に連結ネジ孔を介して回動可能に設けられ、固定式クリップ引上げフック１２によって引上げられたヘアピンクリップの後端部にフック部１３２が係止して床板の係止段部に係止させる回動式クリップ引上げフック１３とを有する。【選択図】図１
2015004181.tif 000002
【特許請求の範囲】
【請求項１】
レールの長手方向に対し直交する方向に貫通した貫通孔が設けられていると共に、その貫通孔におけるレールの反対側であって上側面より一段下がった係止段部を有する床板に対し、ヘアピンクリップの先端部を貫通孔の内端からレール側に向かって所定の位置に挿入してその先端部によりレールの脚部を押さえた後、ヘアピンクリップの後端部を床板の係止段部に係止させると共に、床板に係止したヘアピンクリップを取り外すための長尺状のヘアピンクリップ着脱工具であって、
床板に対するヘアピンクリップの着脱の際に作業者が掴んで作業する長尺部材と、
長尺部材の先端部に設けられ、ヘアピンクリップの後端部を床板の係止段部に係止させる際にヘアピンクリップの後端部にフック部を係止してヘアピンクリップの後端部を引上げる固定式クリップ引上げフックと、
その固定式クリップ引上げフックの爪部よりも所定間隔だけ上方へ離れた位置に回動軸を介して基部が回動可能に設けられ、固定式クリップ引上げフックによって引上げられたヘアピンクリップの後端部にフック部が係止して床板の係止段部に係止させる回動式クリップ引上げフックと
を有することを特徴とするヘアピンクリップ着脱工具。
【請求項２】
請求項１のヘアピンクリップ着脱工具において、
前記回動式クリップ引上げフックは、前記固定式クリップ引上げフックをその両側から挟むように一対のＵ字形状側面部を有するＵ字形状部の上部に回動軸が設けられる一方、そのＵ字形状部のＵ字形状底面部からフック部が延びており、
前記回動式クリップ引上げフックの上部には、前記回動式クリップ引上げフックを使用しない場合には、前記回動式クリップ引上げフックのフック部を引上げておいた前記回動式クリップ引上げフックのＵ字形状部に係止する回動式引上げフック係止部を前記固定式クリップ引上げフックの上方の長尺部材に設けておき、
前記固定式クリップ引上げフックを使用する場合には、前記回動式クリップ引上げフックを上方へ回動して前記回動式引上げフック係止部に係止しておくことにより前記回動式クリップ引上げフックが前記固定式クリップ引上げフックの作業の邪魔にならないようにしたことを特徴とするヘアピンクリップ着脱工具。
【請求項３】
請求項１または請求項２記載のヘアピンクリップ着脱工具において、さらに、
後端部に作業者が掴む把持部が連結されたヘアピンクリップ高さ保持具と、
長尺部材の側面に設けられ、そのヘアピンクリップ高さ保持具を格納するヘアピンクリップ高さ保持具格納ボックスとを有することを特徴とするヘアピンクリップ着脱工具。
【請求項４】
請求項３記載のヘアピンクリップ着脱工具において、さらに、
前記ヘアピンクリップ高さ保持具格納ボックスの上方の長尺部材の側面に回動軸を介して回動可能に取付けられ、ヘアピンクリップ高さ保持具が前記ヘアピンクリップ高さ保持具格納ボックスに格納された際にヘアピンクリップ高さ保持具の把持部の頭部を押さえてヘアピンクリップ高さ保持具が前記ヘアピンクリップ高さ保持具格納ボックスから脱落することを防止するヘアピンクリップ高さ保持具脱落防止部材を設けたことを特徴とするヘアピンクリップ着脱工具。
【請求項５】
請求項４記載のヘアピンクリップ着脱工具において、
前記ヘアピンクリップ高さ保持具脱落防止部材の先端部には、表面側には作業者が掴むツマミ部が設けられている一方、裏面側には係合凸部が設けられており、
前記ヘアピンクリップ高さ保持具格納ボックスおよびヘアピンクリップ高さ保持具脱落防止部材は、高さ保持具格納用土台板を介して長尺部材の側面に取り付けられており、
その高さ保持具格納用土台板における前記ヘアピンクリップ高さ保持具脱落防止部材を回動可能に支持している回動軸の上下であって前記ヘアピンクリップ高さ保持具脱落防止部材の先端部に相当する位置には、それぞれ、前記ヘアピンクリップ高さ保持具脱落防止部材の先端部裏面側の係合凸部が係合する上部係合凹部と下部係合凹部が設けられている一方、その上部係合凹部と下部係合凹部の両側には、前記ヘアピンクリップ高さ保持具脱落防止部材の先端部裏面側の係合凸部をその上部係合凹部と下部係合凹部に案内する上部案内溝部と下部案内溝部とを設けたことを特徴とするヘアピンクリップ着脱工具。
【発明の詳細な説明】
【技術分野】
【０００１】
本発明は、鉄道用分岐器の床板で基本レールの脚部を押えるヘアピン形状のクリップ（以下、ヘアピンクリップという。）を着脱するために使用するヘアピンクリップ着脱工具に関する。
【背景技術】
【０００２】
従来より、鉄道の分岐器では、マクラギとトングレールのような転換されるレールとの間には、図１〜図４に示すような高床タイプの床板２が使用されている。このような形式の床板２では、床板２の中にヘアピンクリップ３を挿入し、このヘアピンクリップ３で基本レール（以下、単にレールという。）Ｒの脚部Ｒ１を押圧し、反対側のクリップとともに全てクリップ締結として、ボルトの緩み管理を不要にしている（例えば、特許文献１参照。）。
【先行技術文献】
【特許文献】
【０００３】
【特許文献１】特開２００９−１６１９２１号公報。
【発明の開示】
【発明が解決しようとする課題】
【０００４】
しかし、従来の高床タイプの床板は、いわゆる一体彫りによるもので、内向端および外向端に開口部を有するボックス状のものであり、ヘアピンクリップ３の後端部３２を作業者が握持してヘアピンクリップ３の先端部３１を所定の位置に挿入し、専用のヘアピンクリップ着脱工具を何度も操作してヘアピンクリップ３の後端部３２を床板２の係止段部２３，２３に係止させざるを得ず、その取付け作業性が悪く、熟練者にとっても厄介であるという問題があった。
【０００５】
特に、床板２の係止段部２３，２３は磨耗している場合には、ヘアピンクリップ３が床板２の係止段部２３，２３の磨耗により係止段部２３，２３から落下し易く、ヘアピンクリップ３の取り付けが困難であった。
【０００６】
そこで、本発明は、このような問題点に着目してなされたもので、床板の係止段部に対しヘアピンクリップの後端部を簡単かつ確実に係止することができるヘアピンクリップ着脱工具を提供することを目的とする。
【課題を解決するための手段】
【０００７】
上記目的を達成するため、本発明に係るヘアピンクリップ着脱工具では、レールの長手方向に対し直交する方向に貫通した貫通孔が設けられていると共に、その貫通孔におけるレールの反対側であって上側面より一段下がった係止段部を有する床板に対し、ヘアピンクリップの先端部を貫通孔の内端からレール側に向かって所定の位置に挿入してその先端部によりレールの脚部を押さえた後、ヘアピンクリップの後端部を床板の係止段部に係止させると共に、床板に係止したヘアピンクリップを取り外すための長尺状のヘアピンクリップ着脱工具であって、床板に対するヘアピンクリップの着脱の際に作業者が掴んで作業する長尺部材と、長尺部材の先端部に設けられ、ヘアピンクリップの後端部を床板の係止段部に係止させる際にヘアピンクリップの後端部にフック部を係止してヘアピンクリップの後端部を引上げる固定式クリップ引上げフックと、その固定式クリップ引上げフックの爪部よりも所定間隔だけ上方へ離れた位置に回動軸を介して基部が回動可能に設けられ、固定式クリップ引上げフックによって引上げられたヘアピンクリップの後端部にフック部が係止して床板の係止段部に係止させる回動式クリップ引上げフックとを有することを特徴とする。
ここで、前記回動式クリップ引上げフックは、前記固定式クリップ引上げフックをその両側から挟むように一対のＵ字形状側面部を有するＵ字形状部の上部に回動軸が設けられる一方、そのＵ字形状部のＵ字形状底面部からフック部が延びており、前記回動式クリップ引上げフックの上部には、前記回動式クリップ引上げフックを使用しない場合には、前記回動式クリップ引上げフックのフック部を引上げておいた前記回動式クリップ引上げフックのＵ字形状部に係止する回動式引上げフック係止部を前記固定式クリップ引上げフックの上方の長尺部材に設けておき、前記固定式クリップ引上げフックを使用する場合には、前記回動式クリップ引上げフックを上方へ回動して前記回動式引上げフック係止部に係止しておくことにより前記回動式クリップ引上げフックが前記固定式クリップ引上げフックの作業の邪魔にならないようにすると良い。
また、さらに、後端部に作業者が掴む把持部が連結されたヘアピンクリップ高さ保持具と、長尺部材の側面に設けられ、そのヘアピンクリップ高さ保持具を格納するヘアピンクリップ高さ保持具格納ボックスとを有するとさらに良い。
また、さらに、前記ヘアピンクリップ高さ保持具格納ボックスの上方の長尺部材の側面に回動軸を介して回動可能に取付けられ、ヘアピンクリップ高さ保持具が前記ヘアピンクリップ高さ保持具格納ボックスに格納された際にヘアピンクリップ高さ保持具の把持部の頭部を押さえてヘアピンクリップ高さ保持具が前記ヘアピンクリップ高さ保持具格納ボックスから脱落することを防止するヘアピンクリップ高さ保持具脱落防止部材を設けると良い。
また、前記ヘアピンクリップ高さ保持具脱落防止部材の先端部には、表面側には作業者が掴むツマミ部が設けられている一方、裏面側には係合凸部が設けられており、前記ヘアピンクリップ高さ保持具格納ボックスおよびヘアピンクリップ高さ保持具脱落防止部材は、高さ保持具格納用土台板を介して長尺部材の側面に取り付けられており、その高さ保持具格納用土台板における前記ヘアピンクリップ高さ保持具脱落防止部材を回動可能に支持している回動軸の上下であって前記ヘアピンクリップ高さ保持具脱落防止部材の先端部に相当する位置には、それぞれ、前記ヘアピンクリップ高さ保持具脱落防止部材の先端部裏面側の係合凸部が係合する上部係合凹部と下部係合凹部が設けられている一方、その上部係合凹部と下部係合凹部の両側には、前記ヘアピンクリップ高さ保持具脱落防止部材の先端部裏面側の係合凸部をその上部係合凹部と下部係合凹部に案内する上部案内溝部と下部案内溝部とを設けても良い。
【発明の効果】
【０００８】
本発明に係るヘアピンクリップ着脱工具によれば、床板に対するヘアピンクリップの着脱の際に作業者が掴んで作業する長尺部材と、長尺部材の先端部に設けられ、ヘアピンクリップの後端部を床板の係止段部に係止させる際にヘアピンクリップの後端部に爪部を係止してヘアピンクリップの後端部を引上げる固定式クリップ引上げフックと、その固定式クリップ引上げフックの爪部よりも所定間隔だけ上方へ離れた位置に回動軸を介して基部が回動可能に設けられ、固定式クリップ引上げフックによって引上げられたヘアピンクリップの後端部にフック部を係止して床板の係止段部に係止させる回動式クリップ引上げフックを有するため、床板の係止段部に対しヘアピンクリップの後端部を簡単かつ確実に係止することができる。
【図面の簡単な説明】
【０００９】
【図１】ヘアピンクリップを使用してレールを固定する床板の構成を示す斜視図である。
【図２】ヘアピンクリップを使用してレールを固定する床板の構成を示すレールと直行方向の断面図である。
【図３】ヘアピンクリップを使用してレールを固定する床板の構成を示す平面図である。
【図４】図３におけるＡ−Ａ線断面図である。
【図５】（ａ），（ｂ）それぞれ回動式クリップ引上げフックがロック状態でヘアピンクリップ高さ保持具が収納状態にある本実施形態のヘアピンクリップ着脱工具の正面図、左側面図である。
【図６】（ａ），（ｂ）それぞれ回動式クリップ引上げフックが非ロック状態でヘアピンクリップ高さ保持具が取り出し状態にある本実施形態のヘアピンクリップ着脱工具の正面図、左側面図である。
【図７】（ａ），（ｂ）それぞれ本実施形態のヘアピンクリップ着脱工具を構成する固定式クリップ引上げフックの正面図、左側面図である。
【図８】（ａ）〜（ｃ）それぞれ本実施形態のヘアピンクリップ着脱工具を構成する回動式クリップ引上げフックの平面図、正面図、右側面図である。
【図９】（ａ），（ｂ）それぞれ本実施形態のヘアピンクリップ着脱工具を構成する固定式クリップ引上げフックと回動式クリップ引上げフックの連結状態を示す正面図、左側面図である。
【図１０】（ａ），（ｂ）それぞれ本実施形態のヘアピンクリップ着脱工具を構成するヘアピンクリップ高さ保持具の正面図、左側面図である。
【図１１】（ａ），（ｂ）それぞれ本実施形態のヘアピンクリップ着脱工具を構成するヘアピンクリップ高さ保持具とヘアピンクリップ高さ保持具脱落防止部材の関係を示す正面図、左側面図である。
【図１２】（ａ）〜（ｄ）それぞれ本実施形態のヘアピンクリップ着脱工具を使用してヘアピンクリップの後端部を床板の係合部に係合させる際の作業手順を示す説明図である。
【図１３】（ａ）〜（ｃ）それぞれ本実施形態のヘアピンクリップ着脱工具を使用してヘアピンクリップの後端部を床板の係合部に係合させる際の作業手順を示す説明図である。
【図１４】（ａ）〜（ｃ）それぞれ床板の係合部に係合しているヘアピンクリップの後端部本実施形態のヘアピンクリップ着脱工具を使用して解除する際の作業手順を示す説明図である。
【発明を実施するための形態】
【００１０】
次に、本実施形態のヘアピンクリップ着脱工具１と、そのヘアピンクリップ着脱工具１を使用したヘアピンクリップの着脱動作について説明する。
【００１１】
図１〜図４は、それぞれ、ヘアピンクリップ３を使用してレールＲを固定する床板２の構成斜視図、レールと直行方向の断面図、平面図、図３におけるＡ−Ａ線断面図である。
【００１２】
図１〜図４に示すように、本実施形態のヘアピンクリップ着脱工具１は、レールＲの長手方向に対し直交する方向に貫通した貫通孔２１が設けられていると共に、その貫通孔２１におけるレールＲの反対側であって上側面２２より一段下がった位置に係止段部２３，２３を有する床板２に対し、ヘアピンクリップ３の先端部３１を貫通孔２１の内端からレールＲ側（外側）に向かって所定の位置に挿入してその先端部３１によりレールＲの脚部Ｒ１を押さえた後、ヘアピンクリップ３の両側の後端部３２、３２を床板２の係止段部２３，２３に係止させると共に、床板２の係止段部２３，２３に係止したヘアピンクリップ３の後端部３２，３２を取り外すためのものである。
【００１３】
図５（ａ），（ｂ）はそれぞれ回動式クリップ引上げフック１３がロック状態でヘアピンクリップ高さ保持具１４が収納状態にある本実施形態のヘアピンクリップ着脱工具１の正面図、左側面図である。また、図６（ａ），（ｂ）はそれぞれ回動式クリップ引上げフック１３が非ロック状態でヘアピンクリップ高さ保持具１４が取り出し状態にある本実施形態のヘアピンクリップ着脱工具１の正面図、左側面図である。
【００１４】
図５および図６に示すように、ヘアピンクリップ着脱工具１は、長尺部材１１と、固定式クリップ引上げフック１２と、回動式クリップ引上げフック１３と、ヘアピンクリップ高さ保持具１４と、ヘアピンクリップ押入れ部１５とを有している。
【００１５】
長尺部材１１は、図５および図６に示すように床板２に対するヘアピンクリップ３の着脱の際に作業者が掴んで作業するものである。ここで、長尺部材１１は、角パイプを使用している。そのため、本実施形態のヘアピンクリップ着脱工具１では、従来の無垢の丸棒を加工して製作したヘアピンクリップ着脱工具１と比較して、回動式クリップ引上げフック１３や、ヘアピンクリップ高さ保持具１４等の構成部品が増えているが、長尺部材１１を角パイプとしたことで軽量化することができ、全体として重量の増大を抑えることができると共に、作業効率が向上する。
【００１６】
また、長尺部材１１の上端部には、図５や図６等に示すように床板２の貫通孔２１の内端からレール側（外側）に向かってヘアピンクリップ３を挿入する際に、ヘアピンクリップ３の後端部３２に当接してその後方からヘアピンクリップ３を押し込むため等のヘアピンクリップ押入れ部１５が設けられている。
【００１７】
長尺部材１１の下端部には、後述するように固定式クリップ引上げフック１２が固定されると共に、下端部側面に回動式クリップ引上げフック１３を使用しない際、回動式クリップ引上げフック１３のＵ字形状部１３３を係止して、固定式クリップ引上げフック１２の使用の邪魔にならないようにするための回動式引上げフック係止部１２７が設けられている。
【００１８】
固定式クリップ引上げフック１２は、図７（ａ），（ｂ）や図９（ａ），（ｂ）に示すように長尺部材１１の先端部に根元部１２２を挿入して固定ボルト１２６により固定されるもので、後述するようにヘアピンクリップ３の後端部３２を床板２の係止段部２３に係止させる際にヘアピンクリップ３の後端部３２にその爪部１２１を係止してヘアピンクリップ３の後端部３２を引上げるものである。なお、この固定式クリップ引上げフック１２には、図７（ａ）に示すように長尺部材１１との連結のため固定ボルト１２６（図５や図９参照。）が挿入されるボルト孔１２３と、回動式クリップ引上げフック１３の後述する連結ネジ１２５（図５や図９参照。）が挿入される複数（この実施形態では、６個とする。）の通し孔１２４が設けられている。
【００１９】
本実施形態のヘアピンクリップ着脱工具１では、固定式クリップ引上げフック１２に複数の通し孔１２４が設けられているため、一の通し孔１２４を選択して回動式クリップ引上げフック１３の取付け位置を変更して連結ネジ１２５により回動可能に連結することにより、レールＲのサイズに応じた最適な位置に回動式クリップ引上げフック１３を取付けることができる。
【００２０】
回動式クリップ引上げフック１３は、図８（ａ）〜（ｃ）に示すように固定式クリップ引上げフック１２をその両側から挟むように一対のＵ字形状側面部１３３ａ，１３３ａを有するＵ字形状部１３３を有すると共に、そのＵ字形状部１３３を構成する一対のＵ字形状側面部１３３ａ，１３３ａの上部に連結ネジ１２５（図５や図９参照。）が挿入される連結ネジ孔１３１が設けられる一方、そのＵ字形状部１３３のＵ字形状底面部１３３ｂからフック部１３２が延びている。
【００２１】
回動式クリップ引上げフック１３は、図９（ａ），（ｂ）等に示すようにその基部が固定式クリップ引上げフック１２の爪部１２１よりも所定間隔だけ上方へ離れた複数（この実施形態では、６個とする。）の通し孔１２４のうちの一の通し孔１２４に連結ネジ１２５を介して回動可能に取付けられており、後述するように固定式クリップ引上げフック１２によって引上げられたヘアピンクリップ３の後端部３２にフック部１３２を係止して床板２の係止段部２３に係止させるものである。
【００２２】
ここで、図７（ａ）や図８（ｂ）、図９（ａ）等に示すように、回動式クリップ引上げフック１３のフック部１３２は、固定式クリップ引上げフック１２の爪部１２１よりも先端部が反り返っている。これは、固定式クリップ引上げフック１２の爪部１２１は、後述するようにヘアピンクリップ３の後端部３２を引上げることが主な役割であるのに対し、回動式クリップ引上げフック１３のフック部１３２は、回動式クリップ引上げフック１３のフック部１３２によって引上げられたヘアピンクリップ３の後端部３２を後述するように水平方向にスライドさせて床板２の係止段部２３に係止させることが主な役目であるからである。
【００２３】
なお、回動式引上げフック係止部１２７は、図９（ａ），（ｂ）に示すように長尺部材１１の下端部に突出板部１２７ａが溶着されており、その突出板部１２７ａにネジ１２７ｂとナット１２７ｂを取り付けて構成されており、ネジ１２７ｂの先端部の突出量を調整して係止具合を調整しながら、ネジ１２７ｂの先端部を回動式クリップ引上げフック１３のＵ字形状部１３３の一方のＵ字形状側面部１３３ａ，１３３ａの内側に当接させて係止する。
【００２４】
図１０（ａ），（ｂ）は、それぞれ本実施形態のヘアピンクリップ着脱工具１を構成するヘアピンクリップ高さ保持具１４の正面図、左側面図である。また、図１１（ａ），（ｂ）は、それぞれ本実施形態のヘアピンクリップ着脱工具１を構成するヘアピンクリップ高さ保持具１４とヘアピンクリップ高さ保持具脱落防止部材１１１の関係を示す正面図、左側面図である。
【００２５】
ヘアピンクリップ高さ保持具１４は、固定式クリップ引上げフック１２によって引上げたヘアピンクリップ３の後端部３２の高さを保持するため、引上げたヘアピンクリップ３の後端部３２の下に挿入するもので、長尺部材１１とは別部材で分離できるように構成されている。ヘアピンクリップ高さ保持具１４は、図１０（ａ），（ｂ）に示すように、高さ保持具本体１４１と、作業者が掴むための高さ保持具本体１４１の後端部に連結された把持部としてのアイボルト１４２とから構成されている。そのため、ヘアピンクリップ高さ保持具１４の幅は、床板２の貫通孔２１の底面と床板２の係止段部２３の上面との差分となる。
【００２６】
なお、高さ保持具本体１４１の両側面には、ヘアピンクリップ高さ保持具格納ボックス１１２の内側面に磁力で接着するための磁石１４１ａ，１４１ａが設けられている。なお、この磁石１４１ａ，１４１ａは省略しても良い。
【００２７】
また、長尺部材１１の側面には、図１１（ａ），（ｂ）に示すように、ヘアピンクリップ高さ保持具格納ボックス１１２およびヘアピンクリップ高さ保持具脱落防止部材１１１が、高さ保持具格納用土台板１１０を介して取り付けられている。
【００２８】
ヘアピンクリップ高さ保持具格納ボックス１１２は、図１１（ａ），（ｂ）等に示すようにヘアピンクリップ高さ保持具１４を使用しないときに紛失しないように格納するものである。
【００２９】
ヘアピンクリップ高さ保持具脱落防止部材１１１は、図１１（ａ），（ｂ）等に示すようにヘアピンクリップ高さ保持具格納ボックス１１２の上方の高さ保持具格納用土台板１１０に回動軸１１３を介して回動可能に取付けられていると共に、その先端部にツマミ部１１４が設けられており、図５（ａ），（ｂ）等に示すようにヘアピンクリップ高さ保持具１４がヘアピンクリップ高さ保持具格納ボックス１１２に格納された際にツマミ部１１４によって、ヘアピンクリップ高さ保持具１４がヘアピンクリップ高さ保持具格納ボックス１１２から脱落することを防止する。そのため、ヘアピンクリップ高さ保持具１４を使用しない場合には、ヘアピンクリップ高さ保持具１４をヘアピンクリップ高さ保持具格納ボックス１１２に格納しておくと共に、ツマミ部１１４により脱落を防止することにより、ヘアピンクリップ高さ保持具１４の脱落を防止できる。
【００３０】
また、ヘアピンクリップ高さ保持具脱落防止部材１１１のツマミ部１１４の反対側には、図１１（ｂ）に示すようにヘアピンクリップ高さ保持具脱落防止部材１１１の裏面側から突出する係合凸部１１４ａが設けられている。
【００３１】
高さ保持具格納用土台板１１０は、図１１（ａ），（ｂ）等に示すように長尺部材１１の側面に溶接等により取り付けられるもので、その表面側には、上述したようにヘアピンクリップ高さ保持具格納ボックス１１２が固定されていると共に、高さ保持具格納用土台板１１０に回動軸１１３を介して回動可能に取付けられている。
【００３２】
そのため、高さ保持具格納用土台板１１０を長尺部材１１の側面に取り付けて、高さ保持具格納用土台板１１０の上に回動軸１１３を介してヘアピンクリップ高さ保持具脱落防止部材１１１を回動可能に回動可能に取付けたので、長尺部材１１として角パイプを使用して軽量化（薄型化）を図ったしても、何ら問題なくヘアピンクリップ高さ保持具脱落防止部材１１１を取付けたり、ヘアピンクリップ高さ保持具格納ボックス１１２を固定できる。
【００３３】
また、高さ保持具格納用土台板１１０には、図１１（ａ），（ｂ）等に示すようにヘアピンクリップ高さ保持具脱落防止部材１１１を回動可能に支持している回動軸１１３の上下であって、ヘアピンクリップ高さ保持具脱落防止部材１１１の先端部のツマミ部１１４の反対側の係合凸部１１４ａに相当する位置には、それぞれ、ヘアピンクリップ高さ保持具脱落防止部材１１１の裏面側の係合凸部１１４ａが係合する上部係合凹部１１６ｂと下部係合凹部１１５ｂが設けられている一方、その上部係合凹部１１６ｂと下部係合凹部１１５ｂの両側には、ヘアピンクリップ高さ保持具脱落防止部材１１１の先端部裏面側の係合凸部１１４ａをその上部係合凹部１１６ｂと下部係合凹部１１５ｂに案内する上部案内溝部１１６ａ，１１６ａと下部案内溝部１１５ａ，１１５ａとを設けている。
【００３４】
そのため、高さ保持具格納用土台板１１０に上部係合凹部１１６ｂと下部係合凹部１１５ｂが設けられているので、ヘアピンクリップ高さ保持具脱落防止部材１１１の先端部の係合凸部１１４ａを上部係合凹部１１６ｂに係合させることにより、ヘアピンクリップ高さ保持具１４をヘアピンクリップ高さ保持具格納ボックス１１２から出し入れする際にヘアピンクリップ高さ保持具脱落防止部材１１１が妨害することがなくなる一方、ヘアピンクリップ高さ保持具脱落防止部材１１１の先端部の係合凸部１１４ａを下部係合凹部１１５ｂに係合させることにより、ヘアピンクリップ高さ保持具格納ボックス１１２に格納したヘアピンクリップ高さ保持具１４の脱落を確実に防止できる。
【００３５】
また、高さ保持具格納用土台板１１０の上部係合凹部１１６ｂと下部係合凹部１１５ｂの両側には、それぞれ、ヘアピンクリップ高さ保持具脱落防止部材１１１の裏面側の係合凸部１１４ａを上部係合凹部１１６ｂと下部係合凹部１１５ｂに案内する上部案内溝部１１６ａ，１１６ａと下部案内溝部１１５ａ，１１５ａとを設けているため、ヘアピンクリップ高さ保持具脱落防止部材１１１を簡単かつ確実に上部係合凹部１１６ｂまたは下部係合凹部１１５ｂに係合して留めることができる。
【００３６】
さらに、上部係合凹部１１６ｂや下部係合凹部１１５ｂ、および部案内溝部１１６ａ，１１６ａと下部案内溝部１１５ａ，１１５ａは、高さ保持具格納用土台板１１０に設けており、長尺部材１１の側面を削っていないため、長尺部材１１として角パイプを使用して薄型化を図ったしても何ら問題がない。
【００３７】
次に、上述のように構成されたヘアピンクリップ着脱工具１を使用したヘアピンクリップの着脱動作について、図面を参照して説明する。
【００３８】
＜ヘアピンクリップ３の取付け動作＞
まず、ヘアピンクリップ３の取付け動作について、図１２（ａ）〜（ｄ）および図１３（ａ）〜（ｃ）を参照して説明する。なお、最初は、固定式クリップ引上げフック１２を使用し、回動式クリップ引上げフック１３は使用しないため、図５（ａ），（ｂ）に示すように長尺部材１１の下端部の側面に設けておいた回動式引上げフック係止部１２７に回動式クリップ引上げフック１３のＵ字形状部１３３を係止させて、固定式クリップ引上げフック１２を使用した作業の邪魔にならないようにしている。また、ヘアピンクリップ高さ保持具脱落防止部材１１１の係合凸部１１４ａは、高さ保持具格納用土台板１１０の下部係合凹部１１５ｂに係合しているものとする。
【００３９】
ヘアピンクリップ３を取付ける場合には、まず、図１に示すように床板２の貫通孔２１の内端からレール側（外側）に向かって所定の位置にヘアピンクリップ３を挿入した後、図１２（ａ）に示すように、固定式クリップ引上げフック１２の爪部１２１を、床板２の貫通孔２１の底面と、ヘアピンクリップ３の後端部３２の底面との間に挿入する。
【００４０】
次に、長尺部材１１の上部を把持して矢印の方向に長尺部材１１を回動させて、図１２（ｂ）に示すように長尺部材１１を傾けて、図１２（ｃ）に示すように、固定式クリップ引上げフック１２の爪部１２１によってヘアピンクリップ３の後端部３２を引上げる。
【００４１】
次に、固定式クリップ引上げフック１２の爪部１２１によってヘアピンクリップ３の後端部３２を引上げた後、ヘアピンクリップ高さ保持具脱落防止部材１１１の係合凸部１１４ａを高さ保持具格納用土台板１１０の下部係合凹部１１５ｂから外して上部係合凹部１１６ｂに係合して、ヘアピンクリップ高さ保持具格納ボックス１１２からヘアピンクリップ高さ保持具１４を取り出す。
【００４２】
そして、図１２（ｃ）に示すように床板２の貫通孔２１の底面と、引上げたヘアピンクリップ３の後端部３２の底面との間に挿入し、図１２（ｄ）に示すように床板２の貫通孔２１の底面と、引上げたヘアピンクリップ３の後端部３２の底面との間から固定式クリップ引上げフック１２の爪部１２１を引き抜く。
【００４３】
次に、図６（ａ），（ｂ）や図９（ａ），（ｂ）に示すように、回動式クリップ引上げフック１３を長尺部材１１の下端部の側面に設けておいた回動式引上げフック係止部１２７から取り外して、図１３（ａ）に示すように回動式クリップ引上げフック１３のフック部１３２をヘアピンクリップ高さ保持具１４で高さを保持しているヘアピンクリップ３の後端部３２に引掛けて、図１３（ｂ）に示すようにヘアピンクリップ３の後端部３２を床板２の係止段部２３の方へ移動させて、図１３（ｃ）に示すように床板２の係止段部２３の上に移動させる。
【００４４】
その際、図１３（ａ）〜（ｃ）に示すように固定式クリップ引上げフック１２の先端部は、床板２が設置されたマクラギや床板２の側面や上面に当接させて長尺部材１１の上端部を矢印方向に回動させることにより、梃子（てこ）の原理を使用して、回動式クリップ引上げフック１３のフック部１３２によってヘアピンクリップ３の後端部３２を床板２の係止段部２３の方へ移動させることができる。
【００４５】
そのため、作業者は少ない力で簡単かつ確実にヘアピンクリップ３の後端部３２を床板２の係止段部２３に係止させることができる。
【００４６】
なお、以上と同様の作業を、ヘアピンクリップ３の他方の後端部３２についても同様に行う。
【００４７】
＜ヘアピンクリップ３の解除動作＞
次に、ヘアピンクリップ３の解除動作について、図１４（ａ）〜（ｃ）を参照して説明する。
【００４８】
ヘアピンクリップ３を解除する場合には、まず、図１４（ａ）に示すように、床板２の左右の係止段部２３，２３に係止したヘアピンクリップ３の一方の後端部３２に固定式クリップ引上げフック１２の爪部１２１を挿入する。
【００４９】
次に、図１４（ｂ）に示すように、固定式クリップ引上げフック１２の爪部１２１によってヘアピンクリップ３の後端部３２を内側に移動させ、床板２の左右の係止段部２３，２３から脱落させ、図１４（ｃ）に示すように床板２の底面まで移動させる。なお、このヘアピンクリップ３の解除動作の場合には、固定式クリップ引上げフック１２を使用し、回動式クリップ引上げフック１３は使用しないため、図５（ａ），（ｂ）に示すように長尺部材１１の下端部の側面に設けておいた回動式引上げフック係止部１２７に回動式クリップ引上げフック１３のＵ字形状部１３３を係止させて、固定式クリップ引上げフック１２を使用した作業の邪魔にならないようにしている。
【００５０】
なお、以上と同様の作業を、ヘアピンクリップ３の他方の後端部３２についても同様に行う。
【００５１】
従って、本実施形態のヘアピンクリップ着脱工具１によれば、固定式クリップ引上げフック１２の爪部１２１よりも所定間隔だけ上方へ離れた位置に連結ネジ１２５を介して回動可能に設けられ、固定式クリップ引上げフック１２によって引上げられたヘアピンクリップ３の後端部３２にフック部１３２を係止して床板２の係止段部２３に移動させる回動式クリップ引上げフック１３を有するため、床板２の係止段部２３に対しヘアピンクリップ３を簡単かつ確実に係止することができる。
【００５２】
また、本実施形態のヘアピンクリップ着脱工具１によれば、回動式クリップ引上げフック１３は、固定式クリップ引上げフック１２をその両側から挟むように一対のＵ字形状側面部を有するＵ字形状部１３３のＵ字形状側面部１３３ａ、１３３ａ上部に連結ネジ孔１３１が設けられる一方、そのＵ字形状部１３３のＵ字形状底面部１３３ｂからフック部１３２が延びており、回動式クリップ引上げフック１３の上部には、回動式クリップ引上げフック１３を使用しない場合には、回動式クリップ引上げフック１３のフック部１３２を引上げておいた回動式クリップ引上げフック１３のＵ字形状部１３３に係合する回動式引上げフック係止部１２７を固定式クリップ引上げフック１２の上方の長尺部材１１に設けておき、固定式クリップ引上げフック１２を使用する場合には、回動式クリップ引上げフック１３を上方へ回動して回動式引上げフック係止部１２７に係止しておくことにより回動式クリップ引上げフック１３が固定式クリップ引上げフック１２の作業の邪魔にならないように回動式引上げフック係止部１２７に留めて置くことができる。
【００５３】
また、本実施形態のヘアピンクリップ着脱工具１によれば、後端部に作業者が掴む把持部としてアイボルト１４２が連結されたヘアピンクリップ高さ保持具１４と、長尺部材１１の側面に設けられ、そのヘアピンクリップ高さ保持具１４を格納するヘアピンクリップ高さ保持具格納ボックス１１２とを設けたため、ヘアピンクリップ高さ保持具１４を使用しない場合には、収納しておくことできる。その結果、ヘアピンクリップ高さ保持具１４の紛失を防止できる。
【００５４】
特に、本実施形態のヘアピンクリップ着脱工具１では、ヘアピンクリップ高さ保持具格納ボックス１１２の上方の長尺部材１１に回動軸を介して回動可能に取付けられ、ヘアピンクリップ高さ保持具１４がヘアピンクリップ高さ保持具格納ボックス１１２に格納された場合には、ヘアピンクリップ高さ保持具１４のアイボルト１４２の頭部を押さえてヘアピンクリップ高さ保持具１４がヘアピンクリップ高さ保持具格納ボックス１１２から脱落することを防止するヘアピンクリップ高さ保持具脱落防止部材１１１を設けたため、ヘアピンクリップ高さ保持具１４を使用しない場合には、ヘアピンクリップ高さ保持具１４の脱落を確実に防止できる。
【００５５】
また、本実施形態のヘアピンクリップ着脱工具１では、ヘアピンクリップ高さ保持具脱落防止部材１１１の先端部には、表面側には作業者が掴むツマミ部１１４が設けられている一方、裏面側には係合凸部１１４ａが設けられており、ヘアピンクリップ高さ保持具格納ボックス１１２およびヘアピンクリップ高さ保持具脱落防止部材１１１は、高さ保持具格納用土台板１１０を介して長尺部材１１の側面に取り付けられており、高さ保持具格納用土台板１１０におけるヘアピンクリップ高さ保持具脱落防止部材１１１を回動可能に支持している回動軸１１３の上下であってヘアピンクリップ高さ保持具脱落防止部材１１１の先端部に相当する位置には、それぞれ、ヘアピンクリップ高さ保持具脱落防止部材１１１の先端部裏面側の係合凸部１１４ａが係合する上部係合凹部１１６ｂと下部係合凹部１１５ｂが設けられていると共に、高さ保持具格納用土台板１１０の上部係合凹部１１６ｂと下部係合凹部１１５ｂの両側には、それぞれ、ヘアピンクリップ高さ保持具脱落防止部材１１１の裏面側の係合凸部１１４ａを上部係合凹部１１６ｂと下部係合凹部１１５ｂに案内する上部案内溝部１１６ａ，１１６ａと下部案内溝部１１５ａ，１１５ａとを設けているため、ヘアピンクリップ高さ保持具脱落防止部材１１１を簡単かつ確実に上部係合凹部１１６ｂまたは下部係合凹部１１５ｂに係合して留めることができると共に、長尺部材１１を薄型化して軽量化しても高さ保持具格納用土台板１１０があるためヘアピンクリップ高さ保持具脱落防止部材１１１の取付け等に何ら問題がない。
【符号の説明】
【００５６】
１  ヘアピンクリップ着脱工具
１１  長尺部材
１１０  高さ保持具格納用土台板
１１１  ヘアピンクリップ高さ保持具脱落防止部材
１１２  ヘアピンクリップ高さ保持具格納ボックス
１１３  回動軸
１１４  ツマミ部
１１５ａ，１１５ａ  下部案内溝
１１５ｂ  下部係合凹部
１１６ａ，１１６ａ  上部案内溝
１１６ｂ  上部係合凹部
１２  固定式クリップ引上げフック
１２１  爪部
１２２  根元部
１２３  ボルト孔
１２４  通し孔
１２５  連結ネジ
１２６  固定ボルト
１２７  回動式引上げフック係止部
１３  回動式クリップ引上げフック
１３１  連結ネジ孔
１３２  フック部
１３３  Ｕ字形状部
１３３ａ，１３３ａ  Ｕ字形状側面部
１３３ｂ  Ｕ字形状底面部
１４  ヘアピンクリップ高さ保持具
１４１  高さ保持具本体
１４２  アイボルト
１５  ヘアピンクリップ押入れ部
２  床板
２１  貫通孔
【図１】
2015004181.tif 000003
【図２】
2015004181.tif 000004
【図３】
2015004181.tif 000005
【図４】
2015004181.tif 000006
【図５】
2015004181.tif 000007
【図６】
2015004181.tif 000008
【図７】
2015004181.tif 000009
【図８】
2015004181.tif 000010
【図９】
2015004181.tif 000011
【図１０】
2015004181.tif 000012
【図１１】
2015004181.tif 000013
【図１２】
2015004181.tif 000014
【図１３】
2015004181.tif 000015
【図１４】
2015004181.tif 000016